(57)【特許請求の範囲】
【請求項１】
販売飲料が収納され、前面が開口するキャビネットと、
前記キャビネットの前面を開閉する扉と、
前記扉の前面に回動可能に設けられ、販売飲料の見本が挿着される挿着孔が形成された第１の展示部および販売飲料を見本として保持するフォルダーが取付けられた第２の展示部を有する展示台と、
前記第２の展示部を下方から支えることに基いて前記第１の展示部を前方へ垂直に突出した使用状態に保持する透明板と、
前記透明板の下方に設けられた蛍光灯とを備え、
前記第２の展示部のフォルダは、前記展示台を通して前記扉にねじを締込むことに基いて前面に露出した使用状態になり、
前記第２の展示部には、前記第１の展示部の使用状態で前記蛍光灯からの光を上方へ投射する光投射孔が形成されていることを特徴とする自動販売機。
【請求項２】
販売飲料が収納され、前面が開口するキャビネットと、
前記キャビネットの前面を開閉する扉と、
前記扉の前面に回動可能に設けられ、販売飲料の見本が挿着される挿着孔が形成された第１の展示部および販売飲料を見本として保持するフォルダーが取付けられた第２の展示部を有する展示台と、
前記第２の展示部を下方から支えることに基いて前記第１の展示部を前方へ垂直に突出した使用状態に保持する透明板と、
前記透明板の下方に設けられた蛍光灯とを備え、
前記第２の展示部のフォルダは、前記展示台を通して前記扉にねじを締込むことに基いて前面に露出した使用状態になり、
前記第２の展示部は、透明または半透明な合成樹脂により形成されていることを特徴とする自動販売機。
【発明の詳細な説明】
【０００１】
【発明の属する技術分野】
本発明は、飲料を販売するための自動販売機に関する。
【０００２】
【発明が解決しようとする課題】
上記自動販売機においては、販売飲料を模倣した見本を合成樹脂により形成し、この見本を展示台の挿着孔内に挿着して展示することが行われている。しかしながら、地域によっては、見本の製造が販売に間に合わないことがある。この場合、販売飲料を見本として展示する必要があるが、従来の自動販売機は、見本を展示する専用の展示台しか備えておらず、販売飲料の展示が困難だった。
本発明は上記事情に鑑みてなされたものであり、その目的は、販売飲料の見本を展示できる上、販売飲料を見本として簡単に展示できる自動販売機を提供することにある。
【０００３】
【課題を解決するための手段】
請求項１記載の自動販売機は、販売飲料が収納され前面が開口するキャビネットと、前記キャビネットの前面を開閉する扉と、前記扉の前面に回動可能に設けられ販売飲料の見本が挿着される挿着孔が形成された第１の展示部および販売飲料を見本として保持するフォルダーが取付けられた第２の展示部を有する展示台と、前記第２の展示部を下方から支えることに基いて前記第１の展示部を前方へ垂直に突出した使用状態に保持する透明板と、前記透明板の下方に設けられた蛍光灯とを備え、前記第２の展示部のフォルダは前記展示台を通して前記扉にねじを締込むことに基いて前面に露出した使用状態になり、前記第２の展示部には前記第１の展示部の使用状態で前記蛍光灯からの光を上方へ投射する光投射孔が形成されているところに特徴を有している。
【０００４】
請求項２記載の自動販売機は、販売飲料が収納され前面が開口するキャビネットと、前記キャビネットの前面を開閉する扉と、前記扉の前面に回動可能に設けられ販売飲料の見本が挿着される挿着孔が形成された第１の展示部および販売飲料を見本として保持するフォルダーが取付けられた第２の展示部を有する展示台と、前記第２の展示部を下方から支えることに基いて前記第１の展示部を前方へ垂直に突出した使用状態に保持する透明板と、前記透明板の下方に設けられた蛍光灯とを備え、前記第２の展示部のフォルダは前記展示台を通して前記扉にねじを締込むことに基いて前面に露出した使用状態になり、前記第２の展示部は透明または半透明な合成樹脂により形成されているところに特徴を有している。
【０００５】
請求項１および２記載の手段によれば、下記（１）および（２）に示すように、販売飲料の展示および見本の展示を現地設置時に選択できる。
（１）展示台の向きを切換え、第１の展示部を使用状態にする。そして、第１の展示部の挿着孔に見本を挿着する。
（２）展示台の向きを切換え、第２の展示部を使用状態にする。そして、第２の展示部のフォルダーに販売飲料をセットする。
【００１２】
【発明の実施の形態】
以下、本発明の第１実施例を図１ないし図４に基づいて説明する。まず、図３において、キャビネット１は、前面が開口する矩形箱状をなすものであり、キャビネット１内には、前後方向および左右方向に複数列にコラム２が設けられ、各コラム２内には、缶入の販売飲料（図示せず）が収納されている。
【００１３】
キャビネット１には、展示缶扉３が左端部を中心に回動可能に装着されており、キャビネット１の前面は、展示缶扉３により気密状態に覆われる。また、キャビネット１には、メイン扉４が左端部を中心に回動可能に装着されている。このメイン扉４は、展示缶扉３を前方から覆うものであり、メイン扉４には、図４に示すように、透明な合成樹脂製の窓４ａが装着されている。
【００１４】
展示缶扉３の前面には、図２の（ａ）に示すように、左右方向へ延びる支え金具５が上下方向に複数段にねじ止めされている（１本のみ図示する）。これら各支え金具５は、支持部材に相当するものであり、各支え金具５の後面と展示缶扉３の前面との間には、図１の（ａ）に示すように、隙間５ａが形成されている。また、各支え金具５には、図２に示すように、白色の蛍光灯６が着脱可能に装着されており、各蛍光灯６に電源が与えられると、蛍光灯６が発光する。
【００１５】
展示缶扉３の前面には、各蛍光灯６の上方に位置してアンダーライト用展示台７および実缶用展示台８が重ねてねじ止めされている。後方に位置する各アンダーライト用展示台７は、第１の展示台に相当するものであり、本体板部７ａおよび挿入板部７ｂを有するＬ字状をなし、各本体板部７ａには、左右方向に並ぶ複数の挿着孔９が形成されている。
【００１６】
各実缶用展示台８は、第２の展示台に相当するものであり、本体板部８ａおよび支持板部８ｂを有するＬ字状をなし、各支持板部８ｂには切欠部８ｃが形成されている。そして、各支持板部８ｂには、アクリル樹脂製の透明板８ｄがファスナー（図示せず）で固定されており、各切欠部８ｃは、透明板８ｄにより覆われている。尚、符号１１は、アンダーライト用展示台７および実缶用展示台８を展示缶扉３に着脱可能に装着するねじを示している。また、アンダーライト用展示台７および実缶用展示台８は、金属板により形成されている。
【００１７】
各実缶用展示台８の本体板部８ａには、金属製のフォルダー１０が複数取付けられている。これら各フォルダー１０には、図１の（ａ）に示すように、販売飲料に相当する実缶Ａが嵌め込まれており、各実缶Ａは、透明板８ｄの上面に載置され、透明板８ｄにより支持されている。そして、各アンダーライト用展示台７の挿入板部７ｂには、図２に示すように、複数の切欠部７ｃが形成されており、各蛍光灯６からの光は、複数の切欠部７ｃから透明板８ｄを通して上方へ投射され、実缶Ａに照射される。
【００１８】
メイン扉４には、図４に示すように、商品取出口１２，硬貨投入口１３，金額表示部１４が設けられており、硬貨投入口１３内に硬貨を投入すると、金額表示部１４に硬貨の投入金額が表示される。また、メイン扉４の窓部４ａには複数のセレクトボタン１５が装着されており、硬貨投入口１３内に所定金額の硬貨を投入した後、複数のセレクトボタン１５を選択的に操作すると、セレクトボタン１５の操作内容に応じた販売用飲料がコラム２から商品取出口１２内に転がり落ちる。
【００１９】
次に上記構成の作用について説明する。見本Ｂは、図１の（ｂ）および（ｃ）に示すように、販売飲料の外観を模倣した合成樹脂製の本体部Ｂａと、挿着部Ｂｂとからなるものであり、実缶Ａに換えて見本Ｂを展示するにあたっては、複数のねじ１１を取外し、図２の（ａ）に示すように、展示缶扉３からアンダーライト用展示台７および実缶用展示台８を取外す。そして、図２の（ｂ）に示すように、アンダーライト用展示台７の向きを変え、アンダーライト用展示台７の挿入板部７ｂを展示缶扉３と支え金具５との隙間５ａ内に挿入する。すると、図１の（ｂ）に示すように、アンダーライト用展示台７が支え金具５により下方から支えられ、展示缶扉３に装着される。
【００２０】
展示缶扉３にアンダーライト用展示台７を装着したら、図１の（ｃ）に示すように、アンダーライト用展示台７の挿着孔９内に見本Ｂの挿着部Ｂｂを挿入して回動操作する。すると、挿着部Ｂｂが挿着孔９の周縁部に下方から係合し、見本Ｂが挿着孔９内に抜止め状態で挿着される。この状態では、蛍光灯６からの光が挿着孔９を通して上方へ投射され、見本Ｂが照明される。
【００２１】
上記実施例によれば、展示缶扉３にアンダーライト用展示台７および実缶用展示台８をねじ止め（取外し可能に装着）したので、下記▲１▼および▲２▼に示すように、実缶Ａの展示および見本Ｂの展示を現地設置時に選択できる。
▲１▼実缶用展示台８のフォルダー１０に実缶Ａを嵌め込む。
▲２▼アンダーライト用展示台７および実缶用展示台８を展示缶扉３から取外し、アンダーライト用展示台７を支え金具５上にセットする。そして、アンダーライト用展示台７の挿着孔９内に見本Ｂを挿着する。
【００２２】
しかも、アンダーライト用展示台７および実缶用展示台８を予め重ねておいたので、展示台７および８のいずれか一方を展示缶扉３に予め装着しておき、他方をオプションとして付属する場合とは異なり、付属品の置き場所に困ることがなくなる。
【００２３】
また、実缶用展示台８の支持板部８ｂに透明板８ｄを取付けた。このため、蛍光灯６からの光が透明板８ｄを通して上方へ投射され、実缶Ａが明るく照明されるので、実缶Ａの展示状態が向上する。
【００２４】
尚、上記第１実施例においては、実缶用展示台８の支持板部８ｂに切欠部８ｃを形成したが、これに限定されるものではなく、例えば支持板部８ｂに切欠部８ｃを形成しない構成としても良い。この構成の場合でも、蛍光灯６からの光が隙間を通して上方へ投射され、実缶Ａが照明される。
【００２５】
次に本発明の第２実施例を図５に基づいて説明する。尚、上記第１実施例と同一の部材については同一の符号を付して説明を省略し、以下、異なる部材についてのみ説明を行う。各支え金具５と展示缶扉３との隙間５ａ内には、アンダーライト用展示台７の挿入板部７ｂが予め挿入されており、展示缶扉３には、アンダーライト用展示台７が上下方向に複数段に装着されている。
【００２６】
各アンダーライト用展示台７の端部には、第２の展示台に相当する実缶用展示台１６がねじ止めされている。これら各実缶用展示台１６は、アンダーライト用取付台７より左右方向の長さ寸法が短く設定されたものであり、本体板部１６ａおよび支持板部１６ｂからなるＬ字状をなしている。尚、符号１７は、実缶用展示台１６をアンダーライト用展示台７に着脱可能に装着するねじを示している。また、実缶用展示台１６は、金属板により形成されている。
【００２７】
各実缶用展示台１６の本体板部１６ａには、金属製のフォルダー１８が複数取付けられている。また、各実缶用展示台１６の支持板部１６ｂには、円形状をなす複数の光投射孔１６ｃが形成されている。これら各光投射孔１６ｃは、アンダーライト用展示台７の挿着孔９と略同一位置に形成されたものであり、各フォルダー１８には、販売飲料に相当するボトルＣ（ＰＥＴボトル，ガラスボトル）が保持されている。そして、各ボトルＣは、光投射孔１６ｃの周縁部により下方から支えられ、蛍光灯６から挿着孔９および光投射孔１６ｃを通して上方へ投射される光により照明されている。
【００２８】
上記実施例によれば、アンダーライト用展示台７に実缶用展示台１６を装着すると共に、実缶用展示台１６の長さ寸法をアンダーライト用展示台７より短く設定した。このため、下記▲１▼に示すように、見本ＢおよびボトルＣを同時に展示できる。
▲１▼実缶用展示台１６のフォルダー１８にボトルＣを嵌め込み、アンダーライト用展示台１７の挿着孔９内に見本Ｂを挿着する。
しかも、実缶用展示台１６をアンダーライト用展示台１７に取外し可能に設けたので、下記▲２▼に示すように、見本Ｂのみを展示できる。
▲２▼複数のねじ１７を取外し、アンダーライト用展示台７から実缶用展示台１６を取外す。そして、アンダーライト用展示台７の挿着孔９内に見本Ｂを挿着する。
【００２９】
尚、上記第２実施例においては、実缶用展示台１６の支持板部１６ｂに光投射孔１６ｃを形成したが、これに限定されるものではなく、例えば第１実施例のように、支持板部１６ｂに切欠部を形成し、この切欠部を透明板により覆うことに伴い、蛍光灯６からの光を透明板を通してボトルＣに照射しても良い。
【００３０】
また、上記第２実施例においては、実缶用展示台１６にボトルＣ用のフォルダー１８を取付けたが、これに限定されるものではなく、例えば実缶Ａ用のフォルダー１０を取付けたり、フォルダー１０および１８の双方を取付けても良い。  また、上記第１および第２実施例においては、アンダーライト用展示台７，実缶用展示台８および１６を金属により形成したが、これに限定されるものではなく、例えば合成樹脂により形成しても良い。
【００３１】
次に本発明の第３実施例を図６および図７に基づいて説明する。尚、上記第１実施例と同一の部材については同一の符号を付して説明を省略し、以下、異なる部材についてのみ説明を行う。まず、図７において、各支え金具５の上板部には、左右方向へ延びるアクリル樹脂製の透明板１９がファスナー１９ａにより固定されている。
【００３２】
展示缶扉３には、各支え金具５の上方に位置して横長なコ字状をなす支持金具２０がねじ止めされている。これら各支持金具２０には金属製のシャフト２０ａが回動可能に装着されており、これら各シャフト２０ａには、展示台２１が固定されている。尚、符号２０ｂは、支持金具２０を展示缶扉３に固定するねじを示している。
【００３３】
各展示台２１は、図６に示すように、第１の展示部に相当するアンダーライト用展示板部２２と第２の展示部に相当する実缶用展示板部２３とを連結板部２４により連結した形態をなすものであり、アンダーライト用展示板部２２と実缶用展示板部２３との間には隙間２５が形成されている。そして、各展示台２１の実缶用展示板部２３には複数のフォルダー１０が取付けられており、各フォルダー１０は、展示台２１を通して展示缶扉３に複数本のねじ２６（図７参照）を締込むことに伴い、前面に露出した使用状態に保持されている。
【００３４】
各展示台２１のフォルダー１０には、図６の（ａ）に示すように、実缶Ａが嵌込まれている。これら各実缶Ａは、透明板１９の上面に載置されており、蛍光灯６から透明板１９を通して上方へ投射される光により照明されている。また、各展示台２１のアンダーライト用展示板部２２には、各フォルダー１０の後方に位置して挿着孔９が形成され、各展示台２１の実缶用展示部２３には、各挿着孔９の前方に位置して光投射孔２３ａが形成されている。
【００３５】
上記構成の場合、見本Ｂを展示するにあたっては、複数のねじ２６を取外し、展示台２１をシャフト２０ａを中心に図６の矢印イ方向へ回動させる。すると、図６の（ｂ）に示すように、展示台２１の実缶用展示板部２３が透明板１９により下方から支えられ、アンダーライト用展示板部２２が前方へ垂直に突出した使用状態に保持される。次に、アンダーライト用展示板部２２の挿着孔９に見本Ｂを挿着する。すると、蛍光灯６からの光が透明板１９，実缶用展示板部２３の光投射孔２３ａ，アンダーライト用展示板部２１の挿着孔９を通して上方へ投射され、見本Ｂが照明される。
【００３６】
上記実施例によれば、展示台２１にアンダーライト用展示板部２２および実缶用展示板部２３を設け、展示台２１の向きを換えることに伴い、アンダーライト用展示板部２２および実缶用展示板部２３を選択的に有効化した。このため、下記▲１▼および▲２▼に示すように、実缶Ａの展示および見本Ｂの展示を現地設置時に選択できる。
▲１▼展示台２１を起こし、実缶用展示板部２３を有効化する。そして、実缶用展示板部２３のフォルダー１０に実缶Ａを嵌め込む。
▲２▼展示台２１を倒し、アンダーライト用展示板部２２を有効化する。そして、アンダーライト用展示板部２２の挿着孔９内に見本Ｂを挿着する。
【００３７】
ところで、上記第１および第２実施例の場合、見本Ｂを展示するにあたって、実缶用展示台８および１６が不要になるので、実缶用展示台８および１６を廃棄したり、保管する必要がある。これに対して本実施例では、展示台２１にアンダーライト用展示板部２２および実缶用展示板部２３を設けた。このため、実缶Ａを展示する際にアンダーライト用展示板部２２が不要になったり、見本Ｂを展示する際に実缶用展示板部２３が不要になったりすることがなくなるので、部品の廃棄，保管に困ることがなくなる。
【００３８】
また、展示台２１の回動操作に伴い、アンダーライト用展示板部２２および実缶用展示板部２３を選択的に有効化した。このため、展示台２１の向きを簡単に換えることができるので、実缶Ａと見本Ｂとの間で展示状態を切換えるにあたって、作業性が向上する。
【００３９】
尚、上記第３実施例においては、実缶用展示板部２３に実缶Ａ用のフォルダー１０を取付けたが、これに限定されるものではなく、例えばボトルＣ用のフォルダー１８を取付けたり、フォルダー１０および１８の双方を取付けても良い。  また、上記第３実施例においては、展示台２１の回動に伴い向きを換えたが、これに限定されるものではなく、例えば、展示缶扉３に２種類の差込部を設け、展示台２１を両差込部に選択的に差込むことに伴い、展示台２１の向きを換えても良い。
【００４０】
また、上記第３実施例においては、蛍光灯６からの光を透明板１９および実缶用展示板部２３の光投射孔２３ａを通してアンダーライト用展示板部２２の挿着孔９に供給したが、これに限定されるものではなく、例えば、実缶用展示板部２３を透明あるいは半透明な合成樹脂により形成し、蛍光灯６からの光を透明板１９および実缶用展示板部２３を通してアンダーライト用展示板部２２の挿着孔９に供給しても良い。
【００４１】
また、上記第３実施例においては、アンダーライト用展示板部２２と実缶用展示板部２３と連結板部２４とから展示台２１を構成したが、これに限定されるものではなく、例えば、展示台を１枚の板材から構成し、板材に複数の挿着孔９を形成すると共に、板材の一面にフォルダー１０（１８）を取付けても良い。この構成の場合、板材の一面が実缶Ａ用の第２の展示部、板材の他面が見本Ｂ用の第１の展示部として機能することになる。
【００４２】
次に本発明の第４実施例を図８に基づいて説明する。尚、上記第３実施例と同一の部材につていは同一の符号を付して説明を省略し、以下、異なる部材についてのみ説明を行う。各支持金具２０のシャフト２０ａには、複数の展示台２７が回動可能に装着されている。これら各展示台２７は、第１の展示部に相当するアンダーライト用展示板部２８と第２の展示部に相当する実缶用展示板部２９とを連結板部３０により連結した形態をなすものであり、アンダーライト用展示板部２８と実缶用展示板部２９との間には隙間３１が形成されている。
【００４３】
各展示台２７の実缶用展示板部２９には１個のフォルダー１０が取付けられており、各フォルダー１０は、展示台２７を通して展示缶扉３に１本のねじ３２を締込むことに伴い、前面に露出した使用状態に保持されている。そして、各フォルダー１０には実缶Ａが嵌込まれ、各実缶Ａは、透明板１９の上面に載置されており、蛍光灯６から透明板１９を通して上方へ投射される光により照明される。また、各展示台２７のアンダーライト用展示板部２８には、フォルダー１０の後方に位置して挿着孔９が形成され、各実缶用展示部２９には、各挿着孔９の前方に位置して光投射孔２９ａが形成されている。
【００４４】
上記構成の場合、見本Ｂを展示するにあたっては、所定のねじ３２を取外し、所定の展示台２７をシャフト２０ａを中心に矢印イ方向へ回動させる。すると、実缶用展示板部２９が透明板１９により下方から支えられ、アンダーライト用展示板部２８が前方へ垂直に突出した使用状態に保持される。次に、アンダーライト用展示板部２８の挿着孔９内に見本Ｂを挿着する。すると、蛍光灯６からの光が透明板１９，実缶用展示板部２９の光投射孔２９ａ，アンダーライト用展示板部２８の挿着孔９を通して上方へ投射され、見本Ｂが照明される。
【００４５】
上記実施例によれば、複数の展示台２７にアンダーライト用展示板部２８および実缶用展示板部２９を各々設け、複数の展示台２７の向きを各々切換え可能にした。このため、所定の展示台２７を起してフォルダー１０に実缶Ａを嵌め込み、残りの展示台２７を倒して挿着孔９内に見本Ｂを挿着することに伴い、実缶Ａおよび見本Ｂを同時に展示できる。このため、多数の見本Ｂに混じって少数の実缶Ａを展示したり、多数の実缶Ａに混じって少数の見本Ｂを展示したりできるので、展示状態の自由度が向上する。
【００４６】
尚、上記第４実施例においては、展示台２７に実缶Ａ用のフォルダー１０を取付けたが、これに限定されるものではなく、例えばボトルＣ用のフォルダー１８を取付けても良い。
また、上記第４実施例においては、展示台２７の回動に伴い向きを換えたが、これに限定されるものではなく、例えば、展示缶扉３に展示台２７毎に２種類の差込部を設け、展示台２７を両差込部に選択的に差込むことに伴い、展示台２７の向きを換えても良い。
【００４７】
また、上記第４実施例においては、展示台２７に１個の挿着孔９および１個のフォルダー１０を設けたが、これに限定されるものではなく、例えば、複数個の挿着孔９および１個のフォルダー１０を設けたり、１個の挿着孔９および複数個のフォルダー１０を設けたり、複数個の挿着孔９および複数個のフォルダー１０を設けたりしても良い。特に、展示台２７に複数個のフォルダー１０を設ける場合には、所定のフォルダー１０に換えてボトルＣ用のフォルダー１８を取付け、単位展示台２７にフォルダー１０および１８の双方を装着しても良い。
【００４８】
また、上記第４実施例においては、蛍光灯６からの光を透明板１９および実缶用展示板部２９の光投射孔２９ａを通してアンダーライト用展示板部２８の挿着孔９に供給したが、これに限定されるものではなく、例えば、実缶用展示板部２９を透明あるいは半透明な合成樹脂により形成し、蛍光灯６からの光を透明板１９および実缶用展示板部２９を通してアンダーライト用展示板部２８の挿着孔９に供給しても良い。
【００４９】
また、上記第４実施例においては、アンダーライト用展示板部２８と実缶用展示板部２９と連結板部３０とから展示台２７を構成したが、これに限定されるものではなく、例えば、展示台２７を１枚の板材から構成し、板材に所定個数の挿着孔９を形成すると共に、板材の一面に所定個数のフォルダー１０（１８）を取付けても良い。この構成の場合、板材の一面が実缶Ａ用の第２の展示部、板材の他面が見本Ｂ用の第１の展示部として機能することになる。
【００５０】
また、上記第３および第４実施例においては、支え金具５に透明板１９を取付け、蛍光灯６からの光を透明板１９を通して上方へ投射したが、これに限定されるものではなく、例えば、複数の光投射孔を有する有色の金属板あるいは樹脂板を支え金具５に取付け、蛍光灯６からの光を複数の光投射孔を通して上方に投射する構成としても良い。
【００５１】
【発明の効果】
以上の説明から明らかなように、本発明の自動販売機は次の効果を奏する。
請求項１および２記載の手段によれば、展示台に見本用の第１の展示部および販売飲料用の第２の展示部を設け、展示台の向きを換えることに伴い、第１の展示部および第２の展示部を選択的に使用状態にしたので、見本の展示および販売飲料の展示を現地設置時に選択できる。しかも、見本を展示する際に第２の展示部が邪魔になったり、販売飲料を展示する際に第１の展示部が邪魔になったりすることがなくなるので、部品の廃棄，保管に困ることがなくなる。
【図面の簡単な説明】
【図１】本発明の第１実施例を示す図（ａは実缶の展示状態を示す縦断面図、ｂは見本の展示状態を示す縦断面図、ｃはＸ−Ｘ線に沿う断面図）
【図２】アンダーライト用展示台のセット手順を説明するための斜視図
【図３】全体構成を示す斜視図（メイン扉，展示缶扉の回動状態を示す斜視図）
【図４】全体構成を示す正面図
【図５】本発明の第２実施例を示す図（アンダーライト用展示台，実缶用展示台を示す斜視図）
【図６】本発明の第３実施例を示す図（ａは実缶の展示状態を示す縦断面図、ｂは見本の展示状態を示す縦断面図）
【図７】展示台，支持金具を示す斜視図
【図８】本発明の第４実施例を示す図（単位展示台の組付状態を示す斜視図）
【符号の説明】
Ａは実缶（販売用飲料）、Ｂは見本、Ｃはボトル（販売用飲料）、１はキャビネット、３は展示缶扉（扉）、５は支え金具（支持部材）、６は蛍光灯、７はアンダーライト用展示台（第１の展示台）、８は実缶用展示台（第２の展示台）、９は挿着孔、１０はフォルダー、１６は実缶用展示台（第２の展示台）、１８はフォルダー、１９は透明板、２１は展示台、２２はアンダーライト用展示板部（第１の展示部）、２３は実缶用展示板部（第２の展示部）、２３ａは光投射孔、２７は展示台、２８はアンダーライト用展示板部（第１の展示部）、２９は実缶用展示板部（第２の展示部）を示す。
【図１】
0003600854.tif 000002
【図２】
0003600854.tif 000003
【図３】
0003600854.tif 000004
【図４】
0003600854.tif 000005
【図５】
0003600854.tif 000006
【図６】
0003600854.tif 000007
【図７】
0003600854.tif 000008
【図８】
0003600854.tif 000009